(57)【特許請求の範囲】
【請求項１】
自動改札機(10)の券取出し口構造であって、
前記自動改札機(10)の本体(12)の上面に設けられ、券類の搬送機構(34)を覆い、前記自動改札機(10)の通路出口方向に向けて下方に傾斜する傾斜面(32a)を有するカバー(32)と、
前記傾斜面(32a)に取付けられ、券搬送路と連通する収納室(50)を有し、上部に前記券類を排出するための券取出し口(48)が形成されたブロック部材(42)と、
前記収納室(50)に収納され、支持軸(46)を中心として自重および前記券類の搬送力でもって前記券取出し口(48)を開閉するためのシャッタ(44)と、
を備えていることを特徴とする自動改札機の券取出し口構造。
【請求項２】
前記ブロック部材(42)に前記収納室(50)と通じ、前記券取出し口(48)から入った雨水を排水するための水抜き穴(52)を形成したことを特徴とする請求項１に記載の自動改札機の券取出し口構造。
【請求項３】
前記シャッタ４４は、その断面が、前記支持軸(46)に係合する鈎部(44b)と、該鈎部(44b)の一方の片から上方に延びる垂直部(44a)とからなることを特徴とする請求項１又は２に記載の自動改札機の券取出し構造。
【発明の詳細な説明】
【０００１】
【発明の属する技術分野】
本発明は、自動改札機において、投入された乗車券、定期券等が排出される券取出し口の改良に関し、特に、雨などが降って該雨が自動改札機にもかかるような半屋外などの設置条件の悪い場所にも設置できるようにした自動改札機における券取出し口構造に関する。
【０００２】
【従来の技術】
一般的に自動改札機は、風雨および埃に弱いため駅構内に設置されて風雨を避けているのが通常である。
【０００３】
しかし、地方の小さな駅においては、駅ホームと、切符売り場ないしは待合室との間に改札口が設置されている。そして、駅ホームに屋根が付設されていない場所、または屋根が付設されていても該屋根が小さいところがある。このような駅において、前記改札口に自動改札機を設置すると、雨が降ると該雨をどうしても避けることができない。
【０００４】
特に、自動改札機の券取出し口は、改札機本体上面に形成され、該取出し口の開口部は上方を向いている。このため従来の自動改札機は雨水が取り出し口を介して改札機本体内に入りやすい構造となっている。
【０００５】
また、券取出し口の限らず券投入口においても同様であるが、いたずらによって、例えばジュースなどの飲料水を取り出し口または券投入口から改札機本体内に入れられやすい構造となっている。
【０００６】
【発明が解決しようとする課題】
本発明は上記点に着目してなされたものであって、券取出し口に防滴構造を持たせて風雨に晒されやすい設置条件の悪い場所においても設置することができる自動改札機を提供することを課題とするものである。
【０００７】
【課題を解決するための手段】
上記課題を解決するため発明は、自動改札機(10)の券取出し口構造であって、前記自動改札機(10)の本体(12)の上面に設けられ、券類の搬送機構(34)を覆い、前記自動改札機(10)の通路出口方向に向けて下方に傾斜する傾斜面(32a)を有するカバー(32)と、前記傾斜面(32a)に取付けられ、券搬送路と連通する収納室(50)を有し、上部に前記券類を排出するための券取出し口(48)が形成されたブロック部材(42)と、前記収納室(50)に収納され、支持軸(46)を中心として自重および前記券類の搬送力でもって前記券取出し口(48)を開閉するためのシャッタ(44)と、を備えた自動改札機の券取出し口構造とした。
【０００８】
前記ブロック部材(42)に、前記収納室(50)と通じ、前記券取出し口(48)から入った雨水を排水するための水抜き穴(52)を形成するようにすれば、券取出し口(48)から入った雨水が閉鎖したシャッタ(44)に誘導され、前記収納室(50)に溜まることなく外部にスムーズに排水されるので好ましい。
【０００９】
前記シャッタ４４の形状は、その断面が、前記支持軸(46)に係合する鈎部(44b)と、該鈎部(44b)の一方の片から上方に延びる垂直部(44a)とから構成されているため、垂直部(44a)の自重により駆動部なしに券取出し口を閉鎖する。
【００１０】
【発明の実施の形態】
以下、本発明を図面に示した好ましい実施例に基づいて詳細に説明するが、本発明の範囲は、図面に示された実施例に限定されるものではない。
【００１１】
図１は、本発明に係る券取出し口を用いた正面から見た自動改札機１０を示し、図２は、上面から見た自動改札機１０を示している。
【００１２】
図１および図２において、自動改札機１０は、改札機本体１２と、該改札機本体１２の上部に取り付けられた大人検知バー１４とを備えている。改札機本体１２の通路面の前後には開閉ドア１６，１６が設けられている。
【００１３】
前記改札機本体１２の上部に位置する上カバー１８の一方端部には、乗車券あるいは定期券などの券類を挿入するための券挿入口２０が設けられている。上カバー１８の上面部には、券挿入口２０に挿入された券類を前記改札機本体１２内で所定の処理を施した後に該券類を乗降客に返却するための券取出し口４８を有する排出機構３０が設けられている。
【００１４】
図２に示されるように、上カバー１８の出口側上面には、利用客の案内を表示するためのプラズマディスプレイパネル２２が設けられている。
【００１５】
図３は、前記排出機構３０の拡大図を示している。該排出機構３０は、排出される券類が券取出し口４８から飛び出さないように一時的に保持するためのキャッチングローラ３４，３４などの搬送機構を覆うためのカバー３２と、前記券取出し口４８から改札機本体１２内に雨水が浸入しないように防止するための防滴機構４０とを備えている。この防滴機構４０は、図１に示されているように自動改札機１０の出口方向に向けて下方に傾斜する前記カバー３２の傾斜面３２ａに取付けられている。
【００１６】
前記防滴機構４０の構造については図４に示されている。図４において、防滴機構４０は、ブロック部材４２と、該ブロック部材４２内に収納されたシャッタ４４と、該シャッタ４４の垂直部４４ａがフリーな状態で回動するよう支持する支持軸４６とから構成されている。
【００１７】
前記ブロック部材４２には、図５に示されるように前記改札機本体１２の幅方向に券類を排出するための券取出し口４８が形成されている。該券取出し口４８に連通するようブロック部材４２には前記シャッタ４４を収納するための収納室５０が形成されている。この収納室５０はカバー３２内の券搬送路と通じている。更に、ブロック部材４２の斜面の下方には、シャッタ４４が券取出し口４８を閉じているときに該券取出し口４８から浸入した雨水が排水されるように水抜き穴５２が形成されている。
【００１８】
前記シャッタ４４は図６に詳細に示されている。図６によれば、シャッタ４４は、支持軸４６にフリーな状態で係合される直角に曲がった鈎部４４ｂと、該鈎部４４ｂの一方の片から垂直に上方に延びる垂直部４４ａとを有している。このシャッタ４４は改札機本体１２の幅方向に延び、少なくとも前記券取出し口４８の幅まで延びている。すなわち、垂直部４４ａは支軸軸４６から離隔した位置となっている。前記シャッタ４４はアルミニウムまたはステンレスなどの金属で作製するのが好ましいが、本発明においてはこれに限定されるものではなく、例えば合成樹脂などで作製するようにしてもよい。
【００１９】
従って、図４に示されているようにシャッタ４４は、支持軸４４を中心として垂直部４４ａが自重により下方に常時付勢されている状態となっている。このため垂直部４４ａの先端部４４ｃはブロック部材４２の収納室５０の内面に衝突して図４に示すように券取出し口４８を塞ぐ。
【００２０】
次に、シャッタ４４の動きについて、図４および図７に基づき説明する。上述したように券類が排出されないときには、図４に示すようにシャッタ４４は、その自重により支持軸４６を中心として時計方向に回動し、垂直部４４ａの先端部４４ｃはブロック部材４２の収納室５０の内面に衝突して係止する。従って、このシャッタ４４により券類の取出し口４８は閉鎖された状態となり、該券取出し口４８から一旦浸入した雨水などは改札機本体１２内に浸入することがない。このシャッタ４４の閉鎖により券取出し口４８内に一旦入った雨水は、該シャッタ４４の垂直部４４ａにより誘導されてブロック部材４２の収納室５０内に浸入するが、該雨水は水抜き穴５２より外部に排水される。従って、風雨に晒されるようにな設置条件の悪い場所においても自動改札機１０を設置することができる。
【００２１】
このようにシャッタ４４は通常は自重により閉じた状態となっているが、図１に示す自動改札機１０の券挿入口２０に挿入された乗車券または定期券などの券類が搬送されてきて排出されるとき、図７に示されるようにその搬送力によって、シャッタ４４は上方に突き上げられ、券類は券取出し口４８から排出される。この際、券類はキャッチングローラ３４，３４によって一時的に保持され、券類の先端部分のみが券取出し口４８から突出した状態に保持される。利用客は、この先端部分が突出している券類を引き抜くと、シャッタ４４はその自重により図４に示されるように元の状態に復帰し、券取出し口４８を閉鎖する。
【００２２】
このようにシャッタ４４は券類の搬送力でもって券取出し口４８を開放し、また、シャッタ４４の自重でもって券取出し口４８を閉鎖するようになっているため、該シャッタ４４を動作させるための動力は何ら必要がない。
【００２３】
【発明の効果】
以上説明したように本発明によれば、券取出し口を自重により閉鎖し、券類の搬送力でもって券取出し口が開放されるようなシャッタを有する防滴機構を備えているため、何の駆動部もなしに該シャッタを開閉することができ、簡単な構成および低コストでもって券取出し口の防滴構造が得られる。このため自動改札機を風雨に晒されるような設置条件の悪い場所にも設置することができる。
【図面の簡単な説明】
【図１】本発明に係る自動改札機の正面図である。
【図２】図１に示した自動改札機の上面図である。
【図３】図１に示した排出機構を拡大した図である。
【図４】図３に示した防滴機構の拡大断面図である。
【図５】図４に示した防滴機構の正面であって、券取出し口を示している。
【図６】図４に示したシャッタの拡大斜視図である。
【図７】シャッタが券類の搬送力でもって開いた状態を示した図４に対応する作用図である。
【符号の説明】
１０  自動改札機
１２  改札機本体
１８  上カバー
３０  排出機構
３２  カバー
３２ａ  傾斜面
４０  防滴機構
４２  ブロック部材
４４  シャッタ
４４ａ  垂直部
４４ｂ  鈎部
４６  支持軸
４８  券取出し口
５０  収納室
５２  水抜き穴
【図１】
0003986191.tif 000002
【図２】
0003986191.tif 000003
【図３】
0003986191.tif 000004
【図４】
0003986191.tif 000005
【図５】
0003986191.tif 000006
【図６】
0003986191.tif 000007
【図７】
0003986191.tif 000008